(57)【要約】      （修正有）【課題】簡潔で迅速な接木を行えるメカニズム式野菜／果物種苗接木装置を提供する。【解決手段】カッティング機構１０、スリーブ導入装置、スリーブカッティング機構及びスリーブジャッキング機構１３を有する。カッティング機構１０はベース、スライドブロック機構、２個のカッティングカッター及び第一交流モーターを有する。ベース上方には２個の裁断カッティング槽１０００を設置する。スライドブロック機構はベース下方に移動するように設置され、スライドブロック機構は左右平行に移動する。各カッティングカッターはスライドブロック機構上方に設置され、各裁断カッティング槽１０００に対応する。第一交流モーターはベース下方に設置され、スライドブロック機構と連結され、スライドブロック機構を連動し左右に移動させる。こうして各カッティングカッターは各裁断カッティング槽１０００側辺の開口位置で往復移動する。【選択図】図４
0003196622.tif 000002
【実用新案登録請求の範囲】
【請求項１】
メカニズム式野菜／果物種苗接木装置は、カッティング機構、スリーブ導入装置、スリーブカッティング機構、スリーブジャッキング機構を有し、
前記カッティング機構は、ベース、スライドブロック機構、２個のカッティングカッター、第一交流モーターを有し、
前記ベース上方には、２個のカッティング槽を設置し、
前記スライドブロック機構は、前記ベース下方に移動するように設置され、前記スライドブロック機構は左右平行に移動し、
前記２個のカッティングカッターは、前記スライドブロック機構上方にそれぞれ設置され、各カッティング槽の一つにそれぞれ対応し、
前記第一交流モーターは、前記ベース下方に設置され、前記スライドブロック機構と連結し、前記スライドブロック機構を連動し、左右に平行移動させ、前記各カッティングカッターは、前記各裁断カッティング槽側辺の開口位置において、それぞれ往復移動し、こうして前記各カッティングカッターは、カッティングスタンバイ状態及びカッティング状態を形成し、  
前記スリーブ導入装置は、スリーブフィーディング導入定位装置で、主動ホイール系がフィーディングし、受動ホイール系が案内定位を行い、且つフィーディング角度とフィーディング長を調整することができるスリーブ導入装置で、固定フレーム、２個の凸型案内ホイールスリーブフィーディングローラー、２個の凹型案内ホイールスリーブフィーディングローラー、２個の凹型案内ホイールスリーブフィーディングローラー、第二交流モーターを有し、
前記固定フレームは、中空構造で、前後両端にフィーディング口及びディスチャージ口をそれぞれ設置し、
前記２個の凸型案内ホイールスリーブフィーディングローラーは、前記固定フレーム上方にそれぞれ設置され、前記フィーディング口及び前記ディスチャージ口位置に対応し、凸型構造をそれぞれ設置し、
前記２個の凹型案内ホイールスリーブフィーディングローラーは、前記固定フレーム下方にそれぞれ設置され、前記フィーディング口、前記ディスチャージ口位置に対応し、及び前記各凸型構造は、凹型構造をそれぞれ設置し、
前記第二交流モーターは、前記各凸型案内ホイールスリーブフィーディングローラー及び前記各凹型案内ホイールスリーブフィーディングローラーと連結し、前記各凸型案内ホイールスリーブフィーディングローラー及び前記各凹型案内ホイールスリーブフィーディングローラーを連動し、同時に回転し、  
前記スリーブカッティング機構は、前記スリーブ導入装置と連結し、前記スリーブカッティング機構は、カッティングスリップシート、スライドブロック、カッター、連棒、第三交流モーターを有し、
前記カッティングスリップシートには、カッティング口を設置し、前記カッティング口は、前記スリーブ導入装置のディスチャージ口と連結し、
前記スライドブロックは、中空構造で、前記スライドブロックカッティングスリップシート上方に左右移動するように設置され、その中空部分はカッティング口に対応し、前記スライドブロック下方には、凸型部材を設置し、
前記カッターは、前記スライドブロック上の前記カッティング口に対応する位置に設置され、前記スライドブロックに従い左右に移動し、カッティングスタンバイ状態及びカッティング状態を形成し、
前記連棒の一端は、前記スライドブロックと連結し、
前記第三交流モーターは、前記連棒の反対端と連結し、前記連棒により、前記スライドブロックの左右移動を連動し、
前記スリーブジャッキング機構は、前記スライドブロック横に設置し、前記スリーブジャッキング機構は、スライド板、ジャッキングスリップシートセットを有し、
前記スライド板上方には、管キャッチ槽を設置し、前記管キャッチ槽の位置は、前記ディスチャージ口に対応し、前記スライドブロックの側面に面して、構槽を設置し、前記構槽は、前記凸型部材に対応し、包んで覆い、
前記ジャッキングスリップシートセットは、前記スライド板両側に設置されることを特徴とする、
メカニズム式野菜／果物種苗接木装置。
【請求項２】
前記カッティング機構は、側座体をさらに有し、前記側座体の長さ及び高度は、前記ベースに対応し、前記ベース側面と結合し、前記ベースと共に前記スライドブロック機構を包んで覆い、前記側座体は、前記各裁断カッティング槽位置に対応し、カッティング槽をそれぞれ設置することを特徴とする請求項１に記載のメカニズム式野菜／果物種苗接木装置。
【請求項３】
前記メカニズム式野菜／果物種苗接木装置は、嵌入式接木台座装置をさらに有し、台座プラットホーム、接穗排屑口、台木排屑口、ジャッキング出口を有し、前記台座プラットホームは、前記カッティング機構に嵌めて設置し、前記接穗排屑口は、前記台座プラットホーム上に設置され、前記カッティング機構の各裁断カッティング槽の一つに対応し、前記台木排屑口は、前記台座プラットホーム上に設置され、前記カッティング機構の各裁断カッティング槽の一つに対応し、前記接穗排屑口と対応する裁断カッティング槽とは異なり、前記ジャッキング出口は、前記台座プラットホーム上に設置され、その位置は、前記スリーブジャッキング機構に対応することを特徴とする請求項１或いは２に記載のメカニズム式野菜／果物種苗接木装置。
【考案の詳細な説明】
【技術分野】
【０００１】
本考案はメカニズム式野菜／果物種苗接木装置に関し、特に台木と接ぎ穂の接木箇所を、カッティング装置のカッティング槽中に同時に入れ、種苗カッティングの作業を完成でき、同時にスリーブに導入し、且つ順番にカッティングスリーブ、ジャッキングスリーブに導入後、台木と接ぎ穂との接木箇所を固定でき、動作が簡潔で迅速に接木が可能なメカニズム式野菜／果物種苗接木装置に関する。
【背景技術】
【０００２】
世界全体での種苗育成市場の規模は非常に莫大である。
しかし、経費に限りがあることとコストに対する考慮から、使用率は高くなく、充分に普及しているとはいえない。
普及しない原因の一つは、接木作業に時間がかかり、必要な技術レベルが高いことである。
このため、専門的で熟練した接木の操作員を雇う必要がある。
しかし、人力による接木は遅く、また専門技術が必要であるため、安全性も高くない。
【０００３】
また、既存の接木機器は巨大で、空気圧部材の作業時には騒音を生じ、及び気圧シリンダーがスムーズでなく、作業環境は長時間操作に適していない。
よって、動作が簡潔で、迅速に接木を行えるメカニズム式野菜／果物種苗接木装置の開発が待たれている。
【考案の概要】
【考案が解決しようとする課題】
【０００４】
前記先行技術による接木作業には非常に時間がかかり、且つ従来の技術による接木機器は巨大であるという欠点がある。
【課題を解決するための手段】
【０００５】
本考案は動作が簡潔で、迅速に接木を行えるメカニズム式野菜／果物種苗接木装置に関する。
【０００６】
本考案によるメカニズム式野菜／果物種苗接木装置は、カッティング機構、スリーブ導入装置、スリーブカッティング機構、スリーブジャッキング機構を有する。
該カッティング機構は、ベース、スライドブロック機構、２個のカッティングカッター及び第一交流モーターを有する。
該ベース上方には、２個の裁断カッティング槽を設置する。
該スライドブロック機構は、該ベース下方に移動可能なように設置され、該スライドブロック機構は左右平行に移動する。
該各カッティングカッターは、該スライドブロック機構上方にそれぞれ設置され、該各裁断カッティング槽の一つにそれぞれ対応する。
該第一交流モーターは、該ベース下方に設置され、該スライドブロック機構と連結し、該スライドブロック機構を連動し、左右に平行移動させる。
該各カッティングカッターは、該各裁断カッティング槽側辺の開口位置において、それぞれ往復移動し、こうして該各カッティングカッターは、カッティングスタンバイ状態及びカッティング状態を形成する。
該スリーブ導入装置は、スリーブフィーディングし導入定位装置で、主動ホイール系がフィーディングし、受動ホイール系が案内定位を行い、且つフィーディング角度とフィーディング長を調整することができる。
該スリーブ導入装置は、固定フレーム、２個の凸型案内ホイールスリーブフィーディングローラー、２個の凹型案内ホイールスリーブフィーディングローラー及び第二交流モーターを有する。
該固定フレームは、中空構造で、前後両端にフィーディング口及びディスチャージ口をそれぞれ設置する。
該各凸型案内ホイールスリーブフィーディングローラーは、固定フレーム上方にそれぞれ設置し、フィーディング口及びディスチャージ口位置に対応し、凸型構造をそれぞれ設置する。
該各凹型案内ホイールスリーブフィーディングローラーは、固定フレーム下方にそれぞれ設置し、フィーディング口、ディスチャージ口位置に対応し、及び該各凸型構造は、凹型構造をそれぞれ設置する。
該第二交流モーターは、該各凸型案内ホイールスリーブフィーディングローラー及び該各凹型案内ホイールスリーブフィーディングローラーと連結し、該各凸型案内ホイールスリーブフィーディングローラー及び該各凹型案内ホイールスリーブフィーディングローラーを連動し、同時に回転させる。
該スリーブカッティング機構は、該スリーブ導入装置と連結する。
該スリーブカッティング機構は、カッティングスリップシート、スライドブロック、カッター、連棒及び第三交流モーターを有する。
該カッティングスリップシートには、カッティング口を設置し、該カッティング口は、スリーブ導入装置のディスチャージ口と連結する。
該スライドブロックは、中空構造で、該スライドブロックカッティングスリップシート上方に左右移動するように設置され、その中空部分はカッティング口に対応する。
該スライドブロック下方には、凸型部材を設置する。
該カッターは、スライドブロック上の、カッティング口に対応する位置に設置され、該スライドブロックに従い左右に移動し、カッティングスタンバイ状態及びカッティング状態を形成する。
該連棒の一端は、該スライドブロックと連結する。
該第三交流モーターは、連棒の反対端と連結し、該連棒により、該スライドブロックの左右移動を連動する。
該スリーブジャッキング機構は、該スライドブロック横に設置される。
該スリーブジャッキング機構は、スライド板及びジャッキングスリップシートセットを有する。
該スライド板上方には、管キャッチ槽を設置する。
該管キャッチ槽位置は、該ディスチャージ口に対応し、該スライドブロックの側面に面して、構槽を設置する。
該構槽は、該凸型部材に対応し、包んで覆う。
該ジャッキングスリップシートセットは、該スライド板両側に設置される。
【０００７】
上述の構造により、台木と接ぎ穂の接木箇所を、カッティング装置のカッティング槽中に同時に入れ、種苗カッティングの作業を同時に完成することができる。
また、順番にカッティングスリーブ、ジャッキングスリーブに導入し、台木と接ぎ穂との接木箇所を固定でき、簡潔な動作で迅速な接木を行うことができる。
【考案の効果】
【０００８】
本考案の効果は、以下のとおりである。
本考案装置は、携帯式で室内外共に操作可能で、また機動性を備え、信頼性が高いクリエイティブな機器である。
また、野菜／果物種苗の接木作業に応用でき、生産機能を向上させることができ、機構がシンプル、軽量且つコンパクトで、省エネ効果を備えるため環境にやさしく、農業育苗産業における国際競争力を高めることができる。
さらに、「カム機構を四節リンク構造に融合する」クリエイティブな構想により、構成部材数を少なくし、軽量で、片手で携帯でき、また高分子材料を使用するため、機構の動作時には潤滑油を使用する必要がなく、メンテナンスが簡便で汚染を減らせ、無菌環境下で機器設備を使用することができる。
加えて、堅固で、耐用性が高く、安全で軽量で、下肢が不自由な人でも楽に操作することができる。
【図面の簡単な説明】
【０００９】
【図１Ａ】本考案の一実施形態によるメカニズム式野菜／果物種苗接木装置のカッティング機構のカッターのカッティングスタンバイ状態の模式図である。
【図１Ｂ】本考案の一実施形態によるメカニズム式野菜／果物種苗接木装置のカッティング機構のカッターのカッティング状態の模式図である。
【図１Ｃ】本考案の一実施形態によるメカニズム式野菜／果物種苗接木装置のカッティング機構が側座体を有することを示す模式図である。
【図２】本考案の一実施形態によるメカニズム式野菜／果物種苗接木装置のスリーブ導入装置の模式図である。
【図３Ａ】本考案の一実施形態によるメカニズム式野菜／果物種苗接木装置のスリーブカッティング機構のカッターのカッティングスタンバイ状態の模式図である。
【図３Ｂ】本考案の一実施形態によるメカニズム式野菜／果物種苗接木装置のスリーブカッティング機構のカッターのカッティング状態の模式図である。
【図４】本考案のメカニズム式野菜／果物種苗接木装置の模式図である。
【考案を実施するための形態】
【００１０】
（一実施形態）
図１Ａ〜図４に示すとおり、本考案の一実施形態によるメカニズム式野菜／果物種苗接木装置１は、カッティング機構１０、スリーブ導入装置１１、スリーブカッティング機構１２、スリーブジャッキング機構１３を有する。
【００１１】
図１Ａ〜図１Ｂに示すとおり、カッティング機構１０は、ベース１００、スライドブロック機構１０１、２個のカッティングカッター１０２及び第一交流モーター１０３を有する。
【００１２】
ベース１００上方には、２個の裁断カッティング槽１０００を設置する。
【００１３】
スライドブロック機構１０１は、ベース１００下方に移動可能なように設置され、スライドブロック機構１０１は左右平行に移動する。
【００１４】
各カッティングカッター１０２は、スライドブロック機構１０１上方にそれぞれ設置され、各裁断カッティング槽１０００の一つにそれぞれ対応する。
【００１５】
第一交流モーター１０３は、ベース１００下方に設置され、スライドブロック機構１０１と連結し、スライドブロック機構１０１を連動し、左右に平行移動させる。
これにより、各カッティングカッター１０２は、各裁断カッティング槽１０００側辺の開口位置において、それぞれ往復移動し、こうして各カッティングカッター１０２は、カッティングスタンバイ状態及びカッティング状態を形成する。
【００１６】
本考案による一実施形態中においては、台木と接穗とを、各裁断カッティング槽１０００中にセットし、台木と接穗とに、同時に斜面カッティング処理を施す。
こうして、台木と接ぎ穂とにプレ接木の動作を行い、同期に接穗と台木とをカッティングする。
カッティング機構１０には、角度調整可能槽道（図示なし）を設置し、これにより接木種苗株径の大きさに合わせることができる。
【００１７】
図２に示すとおり、スリーブ導入装置１１は、スリーブフィーディングし導入定位装置で、主動ホイール系がフィーディングし、受動ホイール系が案内定位を行い、且つフィーディング角度とフィーディング長を調整することができる。
スリーブ導入装置１１は、固定フレーム１１０、２個の凸型案内ホイールスリーブフィーディングローラー１１１、２個の凹型案内ホイールスリーブフィーディングローラー１１２及び第二交流モーター（図示なし）を有する。
【００１８】
固定フレーム１１０は、中空構造で、前後両端にフィーディング口１１００及びディスチャージ口１１０１をそれぞれ設置する。
各凸型案内ホイールスリーブフィーディングローラー１１１は、固定フレーム１１０上方にそれぞれ設置し、フィーディング口１１００及びディスチャージ口１１０１位置に対応し、凸型構造１１１０をそれぞれ設置する。
各凹型案内ホイールスリーブフィーディングローラー１１２は、固定フレーム１１０下方にそれぞれ設置し、フィーディング口１１００、ディスチャージ口１１０１位置に対応し、及び各凸型構造１１１０は、凹型構造１１２０をそれぞれ設置する。
第二交流モーターは、各凸型案内ホイールスリーブフィーディングローラー１１１及び各凹型案内ホイールスリーブフィーディングローラー１１２と連結し、各凸型案内ホイールスリーブフィーディングローラー１１１及び各凹型案内ホイールスリーブフィーディングローラー１１２を連動し、同時に回転させる。
【００１９】
図２、図３Ａ及び図３Ｂに示すとおり、スリーブカッティング機構１２は、スリーブ導入装置１１と連結する。
スリーブカッティング機構１２は、カッティングスリップシート１２０、スライドブロック１２１、カッター１２２、連棒１２３及び第三交流モーター１２４を有する。
カッティングスリップシート１２０には、カッティング口１２００を設置し、カッティング口１２００は、スリーブ導入装置１１のディスチャージ口１１０１と連結する。
【００２０】
スライドブロック１２１は、中空構造で、スライドブロック１２１カッティングスリップシート１２０上方に左右移動するように設置され、その中空部分はカッティング口１２００に対応する。
スライドブロック１２１下方には、凸型部材１２１０を設置する。
カッター１２２は、スライドブロック１２１上の、カッティング口１２００に対応する位置に設置され、スライドブロック１２１に従い左右に移動し、カッティングスタンバイ状態及びカッティング状態を形成する。
連棒１２３の一端は、スライドブロック１２１と連結する。
第三交流モーター１２４は、連棒１２３の反対端と連結し、連棒１２３により、スライドブロック１２１の左右移動を連動する。
【００２１】
上述の構成部材により、斜体を備えるスリーブを構成し、接ぎ穂及び台木を挿入して固定する。
スリーブカッティング機構１２は斜めのカッティング角度を調整でき、こうしてカッティングスリーブは斜めの断面を呈し、接木が容易となる。
【００２２】
スリーブジャッキング機構１３は、スライドブロック１２１横に設置される。
スリーブジャッキング機構１３は、スライド板１３０及びジャッキングスリップシートセット１３１を有する。
スライド板１３０上方には、管キャッチ槽１３００を設置する。
管キャッチ槽１３００位置は、ディスチャージ口１１０１に対応し、スライドブロック１２１の側面に面して、構槽１３０１を設置する。
構槽１３０１は、凸型部材１２１０に対応し、包んで覆う。
ジャッキングスリップシートセット１３１は、スライド板１３０両側に設置される。
【００２３】
図１Ｃに示すとおり、カッティング機構１０は、側座体１０４をさらに有する。
側座体１０４の長さ及び高度は、ベース１００に対応し、ベース１００側面と結合し、ベース１００と共に、スライドブロック機構１０１を包んで覆う。
側座体１０４は、各裁断カッティング槽１０００位置に対応し、カッティング槽１０４０をそれぞれ設置する。
【００２４】
図４に示すとおり、本考案による実施形態中では、嵌入式接木台座装置１４をさらに有する。
嵌入式接木台座装置１４は、台座プラットホーム１４０、接穗排屑口１４１、台木排屑口１４２及びジャッキング出口１４３を有する。
【００２５】
台座プラットホーム１４０は、カッティング機構１０に嵌めて設置する。
接穗排屑口１４１は、台座プラットホーム１４０上に設置し、カッティング機構１０の各裁断カッティング槽１０００の一つに対応する。
台木排屑口１４２は、台座プラットホーム１４０上に設置し、カッティング機構１０の各裁断カッティング槽１０００の一つに対応し、接穗排屑口１４１と対応する裁断カッティング槽１０００とは異なる。
ジャッキング出口１４３は、台座プラットホーム１４０上に設置し、その位置は、スリーブジャッキング機構１３に対応する。
【００２６】
図２、図３Ａ、図３Ｂ及び図４に示すとおり、管キャッチ槽１３００中において、スリーブジャッキング機構１３により、斜体を備えるスリーブをジャッキングし、スリーブを、台座プラットホーム１４０上までジャッキングし、接ぎ穂及び台木を挿入して固定し、接木の動作を完成する。
【００２７】
上述の構造により、本考案は空間連棒機構の設計製作過程を進化させることができる。
本考案による種苗接木装置は農業育苗接木工具で、携帯式で室内外共に操作可能で、また機動性を備える装置で、最適で且つ信頼性が高いクリエイティブな機器である。
それは、野菜／果物種苗の接木作業に応用でき、生産機能を向上させることができ、機構がシンプル、軽量且つコンパクトで、省エネ効果を備えるため環境にやさしく、農業育苗産業における国際競争力を高めることができる。
【００２８】
「カム機構を四節リンク構造に融合する」クリエイティブな構想により、構成部材数を少なくし、軽量で、片手で携帯でき、また高分子材料を使用するため、機構の動作時には潤滑油を使用する必要がなく、メンテナンスが簡便で汚染を減らせ、無菌環境下で機器設備を使用することができる。
さらに、堅固で、耐用性が高く、安全で軽量であるという長所を備える。
加えて、本接木装置は、下肢が不自由な人でも楽に操作できる。
【００２９】
前述した本考案の実施形態は本考案を限定するものではなく、よって、本考案により保護される範囲は後述される実用新案登録請求の範囲を基準とする。
【符号の説明】
【００３０】
１        メカニズム式野菜／果物種苗接木装置
１０      カッティング機構
１００    ベース
１０００  裁断カッティング槽
１０１    スライドブロック機構
１０２    カッティングカッター
１０３    第一交流モーター
１０４    側座体
１０４０  カッティング槽
１１      スリーブ導入装置
１１０    固定フレーム
１１００  フィーディング口
１１０１  ディスチャージ口
１１１    凸型案内ホイールスリーブフィーディングローラー
１１１０  凸型構造
１１２    凹型案内ホイールスリーブフィーディングローラー
１１２０  凹型構造
１２      スリーブカッティング機構
１２０    カッティングスリップシート
１２００  カッティング口
１２１    スライドブロック
１２１０  凸型部材
１２２    カッター
１２３    連棒
１２４    第三交流モーター
１３      スリーブジャッキング機構
１３０    スライド板
１３００  管キャッチ槽
１３０１  構槽
１３１    ジャッキングスリップシートセット
１４      嵌入式接木台座装置
１４０    台座プラットホーム
１４１    接穗排屑口
１４２    台木排屑口
１４３    ジャッキング出口
【図１Ａ】
0003196622.tif 000003
【図１Ｂ】
0003196622.tif 000004
【図１Ｃ】
0003196622.tif 000005
【図２】
0003196622.tif 000006
【図３Ａ】
0003196622.tif 000007
【図３Ｂ】
0003196622.tif 000008
【図４】
0003196622.tif 000009